(57)【特許請求の範囲】
【請求項１】
電子機器のケースの外側部に適合する枠体と、該枠体に形成する上下の内フランジとを弾性材料により一体成形してなり、前記枠体の長辺側、短辺側の内面には、ケースの表面に弾発的に当接する多数の不連続の突部を水平方向に列設し、前記内フランジは、前記枠体をケースの外側部に取外し可能に装着することによりケースを上下に拘束し、前記突部は、前記枠体の長辺側より短辺側を大きく形成することを特徴とする電子機器の保護用アタッチメント。
【請求項２】
前記枠体の上下面には、それぞれ上向き、下向きの連続リブを形成することを特徴とする請求項１記載の電子機器の保護用アタッチメント。
【請求項３】
前記連続リブは、前記枠体の中間部より各隅角部において高くすることを特徴とする請求項２記載の電子機器の保護用アタッチメント。
【請求項４】
前記枠体の各隅角部には、上下一対の水平リブを外向きに形成することを特徴とする請求項１ないし請求項３のいずれか記載の電子機器の保護用アタッチメント。
【発明の詳細な説明】
【技術分野】
【０００１】
この発明は、たとえばハードディスク装置のような耐衝撃性が小さい電子機器を適切に保護することができる電子機器の保護用アタッチメントに関する。
【背景技術】
【０００２】
ハードディスク装置（ＨＤＤ）は、ディスクを高速回転させ、磁気ヘッドを介して大量の電子データを高速に書き込み、読み出すので、機械的な衝撃に弱く、たとえば机上から床に落下させるなどの不用意な取扱いにより致命的な損傷を受けることが少なくなく、このような落下による損傷事故は、たとえばノートパソコンに外付けする携帯形のハードディスク装置において特に深刻である。そこで、専用の保護ケース付きのハードディスク装置が開発されている（非特許文献１）。
【０００３】
このものは、耐衝撃性の身と蓋とからなる保護ケースにハードディスク装置を収納している。すなわち、身側に収納するハードディスク装置は、上下、四周に配設するクッション性のブロック体を介して支持されている。ブロック体は、ハードディスク装置の下側、周囲側に対応するものが身に内装されており、ハードディスク装置の上側に対応するものが蓋の内面に装着されている。
【非特許文献１】ロジテック株式会社製耐衝撃ポータブルハードディスクＬＨＤ−ＰＢＣ１００ＦＵ２、ＬＨＤ−ＰＢＣ８０ＦＵ２等（http://www.logitec.co.jp/products/hd/lhdpbcfu2.html）
【発明の開示】
【発明が解決しようとする課題】
【０００４】
かかる従来技術によるときは、耐衝撃性の保護ケースは、内蔵するハードディスク装置の上下、四周に配置するクッション性のブロック体を内装するため、全体としての重量や外形寸法が過大になりがちである上、ハードディスク装置を保護ケースから簡単に分離することができないため、使い勝手がよくないという問題があった。
【０００５】
そこで、この発明の目的は、かかる従来技術の問題に鑑み、枠体と上下の内フランジとを弾性材料により一体成形することによって、全体としての小形軽量化を図り、必要に応じて簡単に着脱することができる電子機器の保護用アタッチメントを提供することにある。
【課題を解決するための手段】
【０００６】
かかる目的を達成するためのこの発明の構成は、電子機器のケースの外側部に適合する枠体と、枠体に形成する上下の内フランジとを弾性材料により一体成形してなり、枠体の長辺側、短辺側の内面には、ケースの表面に弾発的に当接する多数の不連続の突部を水平方向に列設し、内フランジは、枠体をケースの外側部に取外し可能に装着することによりケースを上下に拘束し、突部は、枠体の長辺側より短辺側を大きく形成することをその要旨とする。
【０００７】
なお、枠体の上下面には、それぞれ上向き、下向きの連続リブを形成することができ、連続リブは、枠体の中間部より各隅角部において高くすることができる。
【０００８】
また、枠体の各隅角部には、上下一対の水平リブを外向きに形成してもよい。
【発明の効果】
【０００９】
かかる発明の構成によるときは、枠体に形成する上下の内フランジは、枠体をケースの外側部に装着することにより、ケースを上下に挟み込むようにして拘束し、枠体の内面の突部は、ケースの表面に弾発的に当接する。そこで、ケース内の電子機器は、枠体と、内フランジと、枠体の内面の突部とを介して保持され、落下事故などによる衝撃から有効に保護することができる。内フランジは、枠体がケースから外れることを阻止し、枠体の内面の突部は、適切に弾性変形して衝撃を吸収することができるからである。なお、このような保護用アタッチメントは、たとえばシリコーンゴム、ウレタンゴム、ブチルゴム、アクリルゴムなどの弾性材料により一体成形されているから、全体としても小形軽量である上、ケースに対して簡単に着脱可能であり、必要に応じてケースに装着し、不必要の場合にケースから簡単に取り外すことができる。
【００１０】
枠体の上下面に設ける連続リブは、水平姿勢で落下して着地する際に、一部または全部が弾性変形して衝撃を吸収する。また、連続リブは、枠体の各隅角部を中間部より高くすることにより、傾いて落下する場合に高い部分が先きに着地して弾性変形し、一層有効に衝撃を吸収する。一方、枠体の各隅角部に外向きに形成する水平リブは、垂直姿勢で落下する場合に、最も早く着地して衝撃を吸収する。
【発明を実施するための最良の形態】
【００１１】
以下、図面を以って発明の実施の形態を説明する。
【００１２】
電子機器の保護用アタッチメント１０は、枠体１１と、上下の内フランジ１２、１３とを弾性材料により一体成形してなる（図１）。ただし、図１は、薄い箱形のケースＨに収納する携帯形のハードディスク装置に使用する例を図示している。
【００１３】
ケースＨの短辺側の一側面には、ＵＳＢ用のソケットＨ1 が取り付けられている。また、ケースＨの上面には、動作表示ランプＨ2 が設けられている。
【００１４】
枠体１１は、ケースＨの外側部に適合する長方形の枠状に形成されている。また、内フランジ１２、１３は、枠体１１の上下に内向きに額縁状に形成され、内フランジ１２、１３の間隔は、ケースＨの厚さ相当に設定されている。なお、上の内フランジ１２は、動作表示ランプＨ2 にかからないように幅狭に形成され、下の内フランジ１３は、上の内フランジ１２より十分幅広に形成されている。ただし、内フランジ１２、１３は、それぞれの幅を全周に亘って同一に形成してもよく、異なる幅の辺を混在させて形成してもよい。
【００１５】
枠体１１の内面には、多数の突部１４、１４…が上下３段に水平方向に列設されている（図２、図３）。ただし、図３（Ａ）〜（Ｃ）は、それぞれ図２のＸ矢視相当図、突部１４の拡大斜視図、枠体１１の隅角部の拡大水平断面図である。
【００１６】
各突部１４は、二等辺三角形の先端を円弧状に丸め、底辺から先端部に向けて、厚さを上下対称に直線的に漸減させて形成されている。ただし、枠体１１の短辺側の突部１４、１４…は、長辺側の突部１４、１４…より大きく形成され、短辺側、長辺側の全体としての弾性変形強度を揃える方向に配慮がなされている。また、枠体１１の各隅角部において、各段の突部１４、１４…は、連続的な補強リブ１４ａとなっており、補強リブ１４ａは、突部１４、１４…の高さより低く形成されている。各段の突部１４、１４…は、等ピッチに、しかも各段ごとに千鳥状に配列されている。ただし、各段の突部１４、１４…は、水平方向に連続させて一連の突条としてもよいものとする。
【００１７】
枠体１１の上下面には、それぞれ上向き、下向きの連続リブ１５、１６が形成されている（図１、図２）。連続リブ１５、１６は、枠体１１の上下面において、それぞれ内フランジ１２、１３の外側を囲むようにして連続している。また、連続リブ１５、１６は、それぞれ枠体１１の各隅角部において、枠体１１の中間部より高い補助リブ１５ａ、１６ａとなっている。
【００１８】
枠体１１の各隅角部には、上下一対の水平リブ１７、１７が外向きに形成されている。上下の水平リブ１７、１７は、それぞれ上段、下段の突部１４、１４…にほぼ対応する位置に配置されている。
【００１９】
枠体１１の一方の短辺側には、ケースＨのソケットＨ1 に対応するようにして、開閉蓋１８が設けられている。開閉蓋１８は、バンド状のヒンジ１８ａを介して外側に水平に開くことができ、開閉蓋１８の表面側には、操作用の突起１８ｂが形成され、ＵＳＢ用であることを示すマーク１８ｃが表示されている。また、開閉蓋１８の裏面側には、ソケットＨ1 に進入する突栓部１８ｄが形成されている。なお、枠体１１の内面の突部１４、１４…は、開閉蓋１８、ヒンジ１８ａの部分を除く枠体１１の四周に形成されている。
【００２０】
かかる保護用アタッチメント１０は、枠体１１をケースＨの外側面に取外し可能に装着することができる（図１の二点鎖線、図４）。ただし、図４（Ａ）、（Ｂ）は、それぞれ全体斜視図、全体水平断面図である。
【００２１】
枠体１１内のケースＨは、上下の内フランジ１２、１３の間に外側部が挟み込まれて上下に拘束され、枠体１１の内面の突部１４、１４…は、ケースＨの四周の表面に弾発的に当接してケースＨを不動に拘束する。また、開閉蓋１８を閉じると（図１、図４（Ｂ））、裏面側の突栓部１８ｄがソケットＨ1 に進入して閉塞し、ごみなどの付着進入を防ぐ。一方、ヒンジ１８ａを介して開閉蓋１８を開くと（図４（Ａ）の矢印方向）、ソケットＨ1 が外部に露出し、図示しないＵＳＢ用ケーブルのコネクタをソケットＨ1 に接続することにより、ケースＨ内のハードディスク装置を正常に作動させて使用することができる。また、保護用アタッチメント１０は、弾性材料により一体成形されているから、必要に応じてケースＨに簡単に着脱可能である。
【００２２】
保護用アタッチメント１０を装着したケースＨがほぼ垂直姿勢で床Ｆ上に落下すると（図５（Ａ））、着地点に近い側の突部１４、１４…が圧縮されて弾発変形することにより、ケースＨに加わる衝撃を有効に吸収する（同図（Ｂ））。なお、このとき、着地点に近い側の水平リブ１７、１７も弾性変形し、枠体１１も、着地点に近い側が厚さ方向に弾性変形する可能性がある。ただし、図５（Ｂ）において、白の矢印は、着地による衝撃力を示し、黒の矢印は、ケースＨの慣性に基づく衝撃力を示す。突部１４、１４…などの弾性変形によって前者の殆どが吸収されるため、ケースＨに加わる衝撃力を格段に小さく減少させることができる。
【００２３】
保護用アタッチメント１０を装着したケースＨがほぼ水平姿勢で床Ｆ上に落下すると（図６（Ａ））、着地点に近い側の下側の補助リブ１６ａ、１６ａが弾性変形することにより、ケースＨに加わる衝撃を吸収する（同図Ｂ））。ただし、このとき、ケースＨに当接する突部１４、１４…も下側に屈曲するように弾性変形し、枠体１１の下部や、下の連続リブ１６も部分的に弾性変形する可能性がある。なお、図６（Ｂ）の白黒の矢印は、図５（Ｂ）におけると同様である。
【００２４】
図６において、上下を逆方向にしてケースＨが落下すると、上側の補助リブ１５ａ、１５ａが主として弾性変形し、突部１４、１４…の屈曲方向が逆になる。また、図５、図６において、枠体１１の任意の隅角部が最初に着地すると、その隅角部に形成されている水平リブ１７、１７が主として弾性変形し、ケースＨに加わる衝撃を吸収する。
【００２５】
なお、図６（Ｂ）において、補助リブ１５ａ、１６ａの位置、すなわち上下の連続リブ１５、１６の位置は、枠体１１の内面の対応する突部１４、１４…の先端より外側寄りに配置されている。そこで、たとえば補助リブ１６ａに落下の際の衝撃力が加わると、対応する突部１４、１４…が容易に弾性変形して屈曲し、衝撃吸収性能を向上させることができる。
【００２６】
以上の説明において、ケースＨの形状は、薄い箱形以外のたとえば一般的な箱形であってもよく、四角形以外の角筒形や円筒形などであってもよい。このときの枠体１１は、ケースＨの外側部に適合させるために、ケースＨの外側部の形状に倣って形成する。また、ケースＨに収納する電子機器は、ハードディスク装置以外の任意の機器であってもよく、ハードディスク装置を含む複数の機器であってもよい。
【図面の簡単な説明】
【００２７】
【図１】使用状態分解斜視図
【図２】一部破断全体斜視図
【図３】要部構成説明図
【図４】使用状態説明図
【図５】動作説明図（１）
【図６】動作説明図（２）
【符号の説明】
【００２８】
Ｈ…ケース
１０…保護用アタッチメント
１１…枠体
１２、１３…内フランジ
１４…突部
１５、１６…連続リブ
特許出願人          株式会社  アイ・オー・データ機器
代理人  弁理士                        松  田  忠  秋
【図１】
0004573740.tif 000002
【図２】
0004573740.tif 000003
【図３】
0004573740.tif 000004
【図４】
0004573740.tif 000005
【図５】
0004573740.tif 000006
【図６】
0004573740.tif 000007